(57)【要約】【課題】止水性や外観品質を良好なものとすることができる排水栓装置を提供する。【解決手段】排水栓装置１は、支持軸５２と、支持軸５２の外周に配置された筒状部５１１を有してなる支持部材５１と、筒状部５１１内に配置された弾性変形可能なアブソーバスプリング５３とを備える。筒状部５１１は、その内面に、支持軸５２の側面に向けて突出した張出部５１１Ｂを有する。支持軸５２の側面部分は、張出部５１１Ｂの内面に沿って配置される第一被支持部５２１Ｆと、第一被支持部５２１Ｆよりも上方に位置し、筒状部５１１の内面に沿って配置される第二被支持部５２１Ｅと、両被支持部５２１Ｅ，５２１Ｆ間に位置し、自身の外周にアブソーバスプリング５３が配置された中間部５２１Ｇとを有する。アブソーバスプリング５３は、張出部５１１Ｂと第二被支持部５２１Ｅとによって挟み込まれた状態とされる。【選択図】      図４
2018199954.tif 000002
【特許請求の範囲】
【請求項１】
槽体に設けられた排水口を開閉するための栓蓋と、
上端部に前記栓蓋が取付けられた支持軸と、
前記支持軸の外周に配置された筒状部を有してなる支持部材と、
上下動可能に構成されるとともに、前記支持部材を支持する上下移動部と、
前記筒状部内に配置され、前記支持軸の軸方向に沿って弾性変形可能なアブソーバスプリングとを備え、
前記上下移動部の上動に伴い前記支持部材及び前記支持軸が上動することで前記排水口が開状態となり、少なくとも前記排水口が開状態である場合において前記栓蓋に対し下方に向けた力が加わったときに、前記アブソーバスプリングが圧縮変形することで、ショックアブソーブ機能が発揮されるように構成された排水栓装置であって、
前記筒状部は、その内面に、前記支持軸の側面に向けて突出した張出部を有し、
前記支持軸の側面部分は、
前記張出部の内面に沿って配置される第一被支持部と、
前記第一被支持部よりも上方に位置し、前記筒状部の内面に沿って配置される第二被支持部と、
前記第一被支持部及び前記第二被支持部間に位置し、自身の外周に前記アブソーバスプリングが配置された中間部とを有し、
前記アブソーバスプリングは、前記張出部と前記第二被支持部とによって挟み込まれた状態とされていることを特徴とする排水栓装置。
【請求項２】
少なくとも前記ショックアブソーブ機能が発揮されているときに、前記筒状部の下端から前記支持軸が下方に突出した状態となるように構成されていることを特徴とする請求項１に記載の排水栓装置。
【請求項３】
前記支持軸は、その軸方向に沿って前記張出部を挟んで前記アブソーバスプリングとは反対側に位置するとともに、外側に向けて突出し、かつ、前記張出部に接触する上動規制部を有し、
前記筒状部の軸直交断面における前記筒状部の内面形状は、前記張出部よりも上方位置の全域において一定とされていることを特徴とする請求項１又は２に記載の排水栓装置。
【請求項４】
前記第二被支持部は、前記ショックアブソーブ機能が発揮されているときに、前記ショックアブアブソーブ機能が発揮されていないときと比べて、前記支持軸の軸方向に沿ってより長いものとなるように構成されていることを特徴とする請求項３に記載の排水栓装置。
【請求項５】
前記支持軸は、その軸方向に沿って前記張出部を挟んで前記アブソーバスプリングとは反対側に位置するとともに、外側に向けて突出し、かつ、前記張出部に接触する上動規制部を有し、
前記上動規制部は、前記張出部側に位置する上面から側面にかけての部位に、面取り形状をなす面取り部を有することを特徴とする請求項１乃至４のいずれか１項に記載の排水栓装置。
【請求項６】
前記支持軸は、その軸方向に沿って前記張出部を挟んで前記アブソーバスプリングとは反対側に位置するとともに、外側に向けて突出し、かつ、前記張出部に接触する上動規制部を有し、
前記筒状部は、少なくとも前記ショックアブソーブ機能が発揮されていない状態において、前記上動規制部が収容される収容部を有することを特徴とする請求項１乃至５のいずれか１項に記載の排水栓装置。
【請求項７】
前記収容部に前記上動規制部が収容されている状態において、前記上動規制部の下端面と前記筒状部の下端面とが面一となるように構成されていることを特徴とする請求項６に記載の排水栓装置。
【発明の詳細な説明】
【技術分野】
【０００１】
本発明は、槽体からの排水の流路に対応して設けられる排水栓装置に関する。
【背景技術】
【０００２】
従来、槽体（例えば、浴槽や洗面ボールなど）の排水口を開閉するための排水栓装置が知られている。
【０００３】
排水栓装置は、例えば、排水口を開閉するための栓蓋と、上端部に栓蓋が取付けられた上下動可能な支持軸と、支持軸の下端部と接触可能な伝達部材（例えば、ワイヤーなど）とを備えている。そして、所定の操作部材（例えば、操作ボタンなど）の変位により伝達部材がその長手方向に沿って移動し、伝達部材の端部により支持軸が押し上げられることで、栓蓋が上動し、排水口が開状態とされる。
【０００４】
また近年では、支持軸の外周に配置される筒状部、及び、配管（排水の流路を構成する部位）の内周面に沿って配置される円環部を有してなる支持部材を備え、前記配管内に突出する上下動可能な上下移動部によって支持部材（円環部）を支持する排水栓装置が提案されている（例えば、特許文献１等参照）。この排水栓装置では、上下移動部の上下動に伴い支持軸及び栓蓋が上下動することで、排水口の開閉状態が切換えられる。
【０００５】
ところで、栓蓋及び支持軸が上方側に配置された状態（すなわち、排水口が開状態であるとき）において、誤って栓蓋を踏みつけてしまったり、栓蓋に重量物を載置してしまったりすると、支持軸に対して下方に向けた大きな力が加わってしまうおそれがある。この場合には、栓蓋を上下動させる際に動作する各種部材（例えば、上下移動部や支持軸、支持部材など）に破損や変形が生じてしまったり、上下移動部から支持部材が外れてしまったりするおそれがある。また、栓蓋が上動不能な状態（例えば、栓蓋が踏み付けられた状態など）において前記操作部材を操作した場合でも、上記同様の不具合が発生してしまうおそれがある。
【０００６】
そこで、上記特許文献では、筒状部の下部開口を蓋部で塞いだ上で、当該蓋部と支持軸の下端部と間に、支持軸の軸方向（上下移動方向）に沿って弾性変形可能なアブソーバスプリングを設ける手法が提案されている。この手法によれば、栓蓋等が上方側に配置された状態であるときに、栓蓋に対し下方に向けた力が加わると、アブソーバスプリングが圧縮変形する。その結果、ショックアブソーブ機能、すなわち、支持軸等の各種部材に対する負荷の吸収機能が発揮され、上記不具合の防止を図ることができる。尚、支持軸は、筒状部内に配置された部位が筒状部の内面に沿って配置されることで、筒状部によって支持された状態となっている。
【先行技術文献】
【特許文献】
【０００７】
【特許文献１】特開２０１６−１３２８９７号公報
【発明の概要】
【発明が解決しようとする課題】
【０００８】
しかしながら、上記手法では、アブソーバスプリングが存在する分、支持軸のうち筒状部内に配置される部位が短いものとなる。従って、支持軸を安定した状態で支持することが難しくなり、支持軸における傾きが生じやすくなってしまうおそれがある。
【０００９】
支持軸に傾きが生じやすいと、支持軸に対し下方に向けた力が加わったときに、支持軸（例えば、支持軸の下端部の外周角部）が筒状部の内周面に対し強く圧接した（引っ掛かった）状態となりやすく、ひいては支持軸及び筒状部間において大きな摩擦力が生じやすくなる。そのため、アブソーバスプリングが十分に圧縮されずに、支持軸から筒状部へと大きな力が加わってしまい、ショックアブソーブ機能が十分に発揮されなくなってしまうおそれがある。
【００１０】
また、支持軸に傾きが生じやすいと、栓蓋に傾きが生じやすくなってしまうおそれがある。栓蓋に傾きが生じてしまうと、排水口を閉状態としたときに、被シール部（設計上、排水口を閉状態としたときに栓蓋と接触する部位）に対する栓蓋の接触が不十分となって止水性に悪影響が生じてしまう可能性がある。また、排水口を開状態としたときに、栓蓋の見栄えが悪くなってしまい、外観品質の低下を招いてしまうおそれがある。
【００１１】
一方、支持軸のうち筒状部内に配置される部位を長いものとすべく、アブソーバスプリングを短くすることが考えられるが、この場合には、アブソーバスプリングにおける圧縮変形量が不足してしまい、ショックアブソーブ機能が損なわれてしまうおそれがある。
【００１２】
本発明は、上記事情に鑑みてなされたものであり、その目的は、ショックアブソーブ機能をより確実に発揮することができるとともに、支持軸及び栓蓋の傾きを効果的に抑制することができ、止水性や外観品質を良好なものとすることができる排水栓装置を提供することにある。
【課題を解決するための手段】
【００１３】
以下、上記目的を解決するのに適した各手段につき、項分けして説明する。なお、必要に応じて対応する手段に特有の作用効果を付記する。
【００１４】
手段１．槽体に設けられた排水口を開閉するための栓蓋と、
上端部に前記栓蓋が取付けられた支持軸と、
前記支持軸の外周に配置された筒状部を有してなる支持部材と、
上下動可能に構成されるとともに、前記支持部材を支持する上下移動部と、
前記筒状部内に配置され、前記支持軸の軸方向に沿って弾性変形可能なアブソーバスプリングとを備え、
前記上下移動部の上動に伴い前記支持部材及び前記支持軸が上動することで前記排水口が開状態となり、少なくとも前記排水口が開状態である場合において前記栓蓋に対し下方に向けた力が加わったときに、前記アブソーバスプリングが圧縮変形することで、ショックアブソーブ機能が発揮されるように構成された排水栓装置であって、
前記筒状部は、その内面に、前記支持軸の側面に向けて突出した張出部を有し、
前記支持軸の側面部分は、
前記張出部の内面に沿って配置される第一被支持部と、
前記第一被支持部よりも上方に位置し、前記筒状部の内面に沿って配置される第二被支持部と、
前記第一被支持部及び前記第二被支持部間に位置し、自身の外周に前記アブソーバスプリングが配置された中間部とを有し、
前記アブソーバスプリングは、前記張出部と前記第二被支持部とによって挟み込まれた状態とされていることを特徴とする排水栓装置。
【００１５】
尚、「ショックアブソーブ機能が発揮されているとき」とあるのは、アブソーバスプリングが通常状態よりも圧縮された状態をいう。ここで、通常状態のアブソーバスプリングとは、張出部及び第二被支持部間の距離が最大限確保された状態におけるアブソーバスプリングをいい、通常状態のアブソーバスプリングは、自然長よりも圧縮変形した状態とされることがある。また、「内面に沿って」とあるのは、換言すれば、内面に近接した状態ということができる。
【００１６】
上記手段１によれば、アブソーバスプリングは、第一被支持部を支持する張出部と、第二被支持部とで挟み込まれた状態とされている。従って、結果的に、第一被支持部及び第二被支持部間の距離を大きく確保することができ、ひいては大きく離れた状態の両被支持部を筒状部によって支持することができる。これにより、支持軸を安定した状態で、かつ、傾きの少ない状態で支持することができる。その結果、ショックアブソーブ機能をより確実に発揮させることができる。また、栓蓋における傾きを効果的に抑制することができ、止水性や外観品質を良好なものとすることができる。
【００１７】
さらに、アブソーバスプリングを十分に長いものとすることができ、アブソーバスプリングにおいて大きな圧縮変形量を確保することができる。従って、ショックアブソーブ機能を一層確実にかつ効果的に発揮させることができ、支持軸や上下移動部などの各種部材における破損や変形をより確実に防止することができる。
【００１８】
手段２．少なくとも前記ショックアブソーブ機能が発揮されているときに、前記筒状部の下端から前記支持軸が下方に突出した状態となるように構成されていることを特徴とする手段１に記載の排水栓装置。
【００１９】
上記手段２によれば、少なくともショックアブソーブ機能が発揮されている（ショックアブソーブ機能がどの程度発揮されているのかは問わない）ときに、筒状部の下端から支持軸が下方に突出した状態となる。従って、張出部ひいてはこれに支持される第一被支持部を筒状部の下端部寄りに設けることができ、筒状部の全体長さに対する、第一被支持部及び第二被支持部間の距離の割合を著しく大きなものとすることができる。すなわち、両被支持部はそれぞれ筒状部内に配置され、両被支持部間の距離は筒状部の全体長さという限られた範囲内でのみ増減可能であるところ、この限られた範囲内で両被支持部間の距離を非常に大きく確保することができる。従って、より大きく離れた状態の両被支持部を筒状部によって支持することができる。これにより、支持軸をより安定した状態で、かつ、傾きのより少ない状態で支持することができる。その結果、ショックアブソーブ機能を一層確実に発揮させることができる。また、栓蓋における傾きを一段と効果的に抑制することができ、止水性や外観品質をさらに良好なものとすることができる。
【００２０】
また、張出部及び第二被支持部間の距離をより大きく確保することができるため、アブソーバスプリングにおいてより大きな圧縮変形量を確保することができる。従って、ショックアブソーブ機能を一層確実にかつ効果的に発揮させることができ、支持軸や上下移動部などの各種部材における破損や変形をより一層確実に防止することができる。
【００２１】
尚、ショックアブソーブ機能が発揮されているときのみに筒状部から支持軸が下方に突出するように構成してもよいし、ショックアブソーブ機能が発揮されていない状態であっても（すなわち、常に）筒状部から支持軸が下方に突出するように構成してもよい。
【００２２】
手段３．前記支持軸は、その軸方向に沿って前記張出部を挟んで前記アブソーバスプリングとは反対側に位置するとともに、外側に向けて突出し、かつ、前記張出部に接触する上動規制部を有し、
前記筒状部の軸直交断面における前記筒状部の内面形状は、前記張出部よりも上方位置の全域において一定とされていることを特徴とする手段１又は２に記載の排水栓装置。
【００２３】
上記手段１等において、支持軸は、第二被支持部がアブソーバスプリングを介して張出部で支持された状態となるため、筒状部の下部開口から抜けることがないところ、請求項３によれば、張出部に対し上動規制部が接触することで、支持軸が上動することを規制でき、筒状部の上部開口から支持軸が抜けてしまうことを防止できる。そのため、筒状部から支持軸が脱落してしまうことを確実に防止できる。その結果、取付作業時や清掃時などにおける装置の取扱いに係る利便性を高めることができる。また、装置の動作安定性を向上させることができる。
【００２４】
さらに、従来では、筒状部から支持軸が抜けないようにすべく、筒状部の上部に内向きの突起部を設ける手法が採用されるが、上記手段３によれば、筒状部をこのような形状とする必要はない点を利用し、筒状部の軸直交断面における筒状部の内面形状が、張出部よりも上方位置の全域において一定とされる。例えば、前記軸直交断面における筒状部の内面形状が円形状である場合、筒状部のうち張出部よりも上方に位置する部位の全域の内径は一定とされる。従って、従来のような前記突起部に対応して支持軸を細くするといった必要はなくなり、支持軸を全体的に太いものとすることができる。これにより、支持軸における強度向上を図ることができる。また、筒状部によって支持軸をより安定的に支持することができ、支持軸の傾きを一層確実に抑制することができる。
【００２５】
さらに、従来のような突起部を設けた場合、筒状部の太さは、筒状部の厚さ、支持軸の太さ、筒状部（突起部）及び支持軸間の隙間の大きさ、並びに、突起部の内側への突出量に基づくものとなる一方、上記手段３によれば、突起部は不要であるため、筒状部の太さは、筒状部の厚さ、支持軸の太さ、並びに、筒状部及び支持軸間の隙間の大きさに基づくものとなる。従って、上記手段３によれば、支持軸を太くして強度向上を図りつつ、筒状部を比較的細いものとすることができる。これにより、通水面積をより大きく確保して排水能力の向上を図ることができる。また、製造等に係るコスト（例えば材料コスト等）を低減させることができる。
【００２６】
手段４．前記第二被支持部は、前記ショックアブソーブ機能が発揮されているときに、前記ショックアブアブソーブ機能が発揮されていないときと比べて、前記支持軸の軸方向に沿ってより長いものとなるように構成されていることを特徴とする手段３に記載の排水栓装置。
【００２７】
上記手段４によれば、第二被支持部は、ショックアブソーブ機能が発揮されているときに、ショックアブアブソーブ機能が発揮されていないときと比べて、支持軸の軸方向に沿ってより長いものとなる。すなわち、栓蓋に対し下方に向けた力が加わって支持軸が下動する際には、支持軸のより広範囲が筒状部でガイドされた状態となる。これにより、支持軸をその軸方向に沿ってよりスムーズに移動させることができ、ひいてはアブソーバスプリングをよりスムーズに圧縮変形させることができる。その結果、ショックアブソーブ機能を一層効果的に発揮させることができる。
【００２８】
尚、上記手段４は、例えば、第二被支持部のうち筒状部の内部に配置され得る部位を、支持軸の軸方向に沿って同一の断面形状をなす（例えば、同一外径をなす）ように構成することで実現可能である。
【００２９】
手段５．前記支持軸は、その軸方向に沿って前記張出部を挟んで前記アブソーバスプリングとは反対側に位置するとともに、外側に向けて突出し、かつ、前記張出部に接触する上動規制部を有し、
前記上動規制部は、前記張出部側に位置する上面から側面にかけての部位に、面取り形状をなす面取り部を有することを特徴とする手段１乃至４のいずれかに記載の排水栓装置。
【００３０】
尚、上記手段３及び上記手段５における上動規制部はそれぞれ同じものを意味し、上記手段３に従属する上記手段５において、上動規制部が複数存在することを意図するものではない。後述する手段６においても同様である。
【００３１】
上記手段５によれば、上動規制部におけるその上面からその側面にかけての部位は、面取り部とされている。従って、取付作業時や清掃時などの取扱い時に、アブソーバスプリングで生じた圧縮反発力により、上動規制部と筒状部の下端部との間で指などが挟まれてしまうことをより確実に防止できる。これにより、取扱い時の利便性や安全性をより高めることができる。
【００３２】
手段６．前記支持軸は、その軸方向に沿って前記張出部を挟んで前記アブソーバスプリングとは反対側に位置するとともに、外側に向けて突出し、かつ、前記張出部に接触する上動規制部を有し、
前記筒状部は、少なくとも前記ショックアブソーブ機能が発揮されていない状態において、前記上動規制部が収容される収容部を有することを特徴とする手段１乃至５のいずれかに記載の排水栓装置。
【００３３】
上記手段６によれば、少なくともショックアブソーブ機能が発揮されていない状態では、収容部に対し上動規制部が収容される。そのため、装置の美観をより良好なものとすることができる。また、上動規制部に対するごみや毛髪等の異物の付着を抑制することができ、衛生性や清掃性を高めることができる。
【００３４】
手段７．前記収容部に前記上動規制部が収容されている状態において、前記上動規制部の下端面と前記筒状部の下端面とが面一となるように構成されていることを特徴とする手段６に記載の排水栓装置。
【００３５】
上記手段７によれば、上動規制部の下端面と筒状部の下端面とが面一となるため、装置の美観を一層良好なものとすることができる。また、清掃時には、上動規制部の下端面と筒状部の下端面とを一度に拭いたり、擦ったりすることが可能となるため、清掃性をより高めることができる。
【図面の簡単な説明】
【００３６】
【図１】排水口を閉状態としたときにおける排水栓装置の一部破断正面図である。
【図２】排水口を開状態としたときにおける排水栓装置の一部破断正面図である。
【図３】排水口を開状態としたときにおいて、ショックアブソーブ機能が発揮されている状態における排水栓装置の一部破断正面図である。
【図４】ショックアブソーブ機能が発揮されていない状態におけるショックアブソーバの断面図である。
【図５】ショックアブソーブ機能が発揮されている状態におけるショックアブソーバの断面図である。
【発明を実施するための形態】
【００３７】
以下に、一実施形態について図面を参照しつつ説明する。図１に示すように、排水栓装置１は、槽体としての洗面ボール１００に取付けられており、排水口部材２と、排水管３と、栓蓋側駆動部４と、栓蓋ユニット５とを備えている。
【００３８】
尚、洗面ボール１００は、その底面を構成する底面部１０１を備えており、当該底面部１０１には、下方に向けて垂下する垂下部１０２と、当該垂下部１０２の下部から内向きに突出する内鍔部１０３とが設けられている。垂下部１０２は、上側に向けて徐々に内径が拡大する筒状をなしている。また、内鍔部１０３の内側に、排水口１０４が形成されている。さらに、底面部１０１の外周には、図示しない周壁部が立設されており、当該周壁部には、水の溢れ出しを防止するための図示しないオーバーフロー口が貫通形成されている。
【００３９】
排水口部材２は、円筒状に形成されており、自身の中心軸と排水口１０４の中心軸とがほぼ一致した状態で排水口１０４に挿設されている。排水口部材２は、その上端部において径方向外側に突出形成された鍔部２１と、当該鍔部２１よりも下方の外周に形成された雄ねじ部２２とを備えている。
【００４０】
排水管３は、鉛直方向に沿って延びる円筒状の本体管３１と、当該本体管３１から枝分かれした状態で延びる、それぞれ円筒状の取付管３２及び接続管３３とを備えている。
【００４１】
本体管３１は、その一端部（上端部）内周に前記雄ねじ部２２を螺合可能な雌ねじ部３１Ａを備えている。そして、鍔部２１を内鍔部１０３上に配置した状態で、雄ねじ部２２を雌ねじ部３１Ａに螺合し、鍔部２１及び排水管３の上端面により内鍔部１０３を挟み込むことで、排水口部材２及び排水管３が接続されるとともに、両者が洗面ボール１００に取付けられた状態となっている。
【００４２】
また、本実施形態において、洗面ボール１００（内鍔部１０３）と排水口部材２（鍔部２１）との間、及び、排水管３の上端面と洗面ボール１００との間には、それぞれ弾性変形可能な材料により形成された環状のシール部材６，７が介在されている。これらシール部材６，７により、排水口部材２及び排水管３と洗面ボール１００との間からの漏水防止が図られている。
【００４３】
取付管３２は、栓蓋側駆動部４が取付けられる部位である。取付管３２は、本体管３１の外周から水平方向に突出形成され、自身の内部空間が本体管３１の内部空間に連通している。
【００４４】
接続管３３は、前記オーバーフロー口に流入した排水を流すための図示しない連結管が接続される部位である。接続管３３は、本体管３１の外周から斜め上向きに向けて突出形成され、自身の内部空間が本体管３１の内部空間に連通している。そして、前記オーバーフロー口に流入した排水は、前記連結管及び接続管３３を通って、本体管３１内へと案内されるようになっている。
【００４５】
栓蓋側駆動部４は、栓蓋ユニット５を上下動させるための機構である。栓蓋側駆動部４は、回動部４１、パッキン部４２及び上下移動部４３を備えている。
【００４６】
回動部４１は、取付管３２に挿設されており、水平方向に延びる自身の中心軸を回動軸として回動可能とされている。回動部４１は、図示しない伝達部材（例えば、ワイヤーなど）から加えられた駆動力により回動する。尚、前記伝達部材は、図示しない所定の操作部材（例えば、操作ボタン）の変位に伴い往復動作する。また、回動部４１の一端面は、排水管３（本体管３１）の内部空間側を向いているが、当該内部空間に配置されないように構成されている。
【００４７】
パッキン部４２は、回動部４１の外周面と取付管３２の内周面とによって挟まれた状態で設けられており、回動部４１及び取付管３２間からの漏水防止を図るものである。
【００４８】
上下移動部４３は、円柱状をなし、回動部４１の一端面における外周寄りの部分から突出している。上下移動部４３は、排水管３（本体管３１）の内部空間に配置されており、回動部４１の回動に伴い上下動する。また、上下移動部４３は、比較的短いものとされており、その先端が排水管３（本体管３１）の中心軸に到達しないように構成されている。
【００４９】
栓蓋ユニット５は、排水口１０４の開閉などを行うために、排水の流路に対応して設けられる部材である。栓蓋ユニット５は、支持部材５１、支持軸５２、アブソーバスプリング５３、ヘアキャッチャー５４及び栓蓋５５を有している。
【００５０】
支持部材５１は、本体管３１の内周面に沿って上下動可能な状態で配置されている。支持部材５１は、本体管３１の中心に配置された筒状部５１１と、当該筒状部５１１の外側に設けられた被支持部５１２とを備えている。
【００５１】
筒状部５１１は、アブソーバスプリング５３を介して、自身の内周に挿通された支持軸５２を支持する部位である。
【００５２】
被支持部５１２は、上下移動部４３によって支持される部位であり、本体管３１の内周面に近接した状態で配置される環状部分と、筒状部５１１及び前記環状部分を連結するアーム部分とを備えている。被支持部５１２は、前記環状部分の下面が上下移動部４３に載置されることで、上下移動部４３によって支持されるようになっている。前記アーム部分は、筒状部５１１の周方向に沿って間隔をあけた状態で複数設けられており、隣接する各アーム部分間の隙間を通って排水が流れるようになっている。
【００５３】
支持軸５２は、棒状をなしており、その上端部が栓蓋５５の背面中央部分に設けられた円筒状の被取付筒部５５Ｃに嵌合されることで、栓蓋５５へと取付けられており、栓蓋５５を支持している。本実施形態において、支持軸５２の上端側外周の溝状部分にはＣリング９が設けられており、当該Ｃリング９が被取付筒部５５Ｃの内周に設けられた窪み部分に配置されることで、支持軸５２に対し栓蓋５５が取付けられた状態となっている。
【００５４】
アブソーバスプリング５３は、所定の金属線が螺旋状に巻回されてなり、筒状部５１１の内周面と支持軸５２の外周面との間に設けられている。アブソーバスプリング５３は、それぞれ後述する張出部５１１Ｂ及び第二被支持部５２１Ｅで挟み込まれた状態とされており、支持軸５２の軸方向に沿って弾性変形可能とされている。
【００５５】
本実施形態では、筒状部５１１、支持軸５２及びアブソーバスプリング５３によって、栓蓋５５に対し下方に向けた力が加わったときに負荷を吸収するためのショックアブソーバ８が構成されている。筒状部５１１、支持軸５２及びアブソーバスプリング５３の詳細な構成など、ショックアブソーバ８に関する詳細については後に説明する。
【００５６】
ヘアキャッチャー５４は、垂下部１０２の内側に配置されており、排水に含まれるごみや毛髪等の異物を捕集するためのものである。ヘアキャッチャー５４は、自身の外縁部分が垂下部１０２のテーパ部分へと載置されることで、垂下部１０２により支持されている。また、ヘアキャッチャー５４の中心には筒状部分が設けられており、当該筒状部分に対し支持軸５２が相対移動可能な状態で挿通されている。そのため、ヘアキャッチャー５４は、支持軸５２が上下動した場合であっても、その配置位置が変動することはない。
【００５７】
栓蓋５５は、樹脂等からなる円板状の栓蓋本体部５５Ａと、当該栓蓋本体部５５Ａに取付けられたパッキン部５５Ｂとを備えている。パッキン部５５Ｂは、弾性変形可能な材料（例えば、ゴムや樹脂等）によって環状に形成されており、栓蓋本体部５５Ａの背面の外周側に設けられた、外側に開口する凹部に対し嵌め込まれた状態とされている。
【００５８】
本実施形態では、回動部４１が一方側へと回動し上下移動部４３が上動することで、当該上下移動部４３によって支持部材５１の被支持部５１２が持ち上げられ、ひいては支持軸５２及び栓蓋５５が上動する。その結果、パッキン部５５Ｂが底面部１０１（垂下部１０２）から離間することで、排水口１０４が開状態とされる（図２参照）。一方、回動部４１が他方側へと回動し上下移動部４３が下動することで、支持軸５２及び栓蓋５５が下動する。そして、パッキン部５５Ｂの外周部分全域が底面部１０１（垂下部１０２）における所定の被シール部位に接触することで、排水口１０４が閉状態とされる。
【００５９】
尚、本実施形態では、排水口１０４が閉状態とされ、上下移動部４３が最も下方に配置されたときに、上下移動部４３から支持部材５１（被支持部５１２の前記環状部分）が浮いた状態となる。そのため、排水口１０４を閉状態としたときに、底面部１０１へとパッキン部５５Ｂをより確実に接触させることができ、良好な水密性を得ることができる。
【００６０】
また、本実施形態では、洗面ボール１００の表側から上方に向けて栓蓋５５や支持軸５２を引上げることで、栓蓋ユニット５を、垂下部１０２、排水口部材２及び本体管３１からなる筒状部分から、すなわち、排水の流路を構成する筒状部分から引抜可能となっている。そして、栓蓋ユニット５を引抜いた状態では、排水の流路を構成する筒状部分には、上下移動部４３のみが僅かに突出した状態となる。そのため、メンテナンス性や清掃性の向上を図ることが可能となっている。
【００６１】
次いで、ショックアブソーバ８について説明する。ショックアブソーバ８は、図３に示すように、排水口１０４が開状態である場合において、例えば、栓蓋５５に重量物を載置したときなど、栓蓋５５に対し下方に向けた力が加わったときに、アブソーバスプリング５３が圧縮変形することで、負荷を吸収する機能、つまり、ショックアブソーブ機能を発揮するものである。
【００６２】
尚、「ショックアブソーブ機能が発揮されているとき」とあるのは、アブソーバスプリング５３が通常状態よりも圧縮された状態をいう。ここで、通常状態のアブソーバスプリング５３とは、それぞれ後述する張出部５１１Ｂ及び第二被支持部５２１Ｅ間の距離が最大限確保されている状態におけるアブソーバスプリング５３をいう。本実施形態において、通常状態のアブソーバスプリング５３は、自然長よりも若干圧縮変形した状態とされている。
【００６３】
但し、通常状態のアブソーバスプリング５３における圧縮変形量は、アブソーブ機能の強度に関する設定などに応じて、適宜変更可能である。また、アブソーバスプリング５３としては、強さ（ばね定数）が異なる様々なものを、各種条件に応じて適宜用いることができる。例えば、水深が深い槽体で使用されるアブソーバスプリング５３は、水深が浅い槽体で使用されるアブソーバスプリング５３と比べて、より強いものとされる。
【００６４】
ショックアブソーバ８は、上記の通り、筒状部５１１、支持軸５２及びアブソーバスプリング５３を備えている。次いで、これらの構成を図４及び図５を参照しつつ説明する。
【００６５】
筒状部５１１の内周面には、上端から下端に向けて、一定内径部５１１Ａ、張出部５１１Ｂ及び下側大径部５１１Ｃがこの順序で設けられている。
【００６６】
一定内径部５１１Ａは、筒状部５１１の内周面上端から張出部５１１Ｂにかけて連続的に設けられており、一定の内径を有している。これにより、筒状部５１１の軸直交断面における筒状部５１１の内周面形状は、張出部５１１Ｂよりも上方位置の全域において一定とされている。尚、「一定」とあるのは、厳密な一定に限られるものではなく、ほぼ一定を含む。従って、本実施形態において、筒状部５１１の内周面の最上端は、その直下の内周面よりも若干だけ大径であるが、筒状部５１１の内周面の最上端も一定内径部５１１Ａに含まれる。
【００６７】
張出部５１１Ｂは、支持軸５２の側面に向けて突出した形状をなし、平面視円環状をなしている。張出部５１１Ｂは、一定内径部５１１Ａよりも小径であり、筒状部５１１の軸方向に沿ってほぼ一定の内径を有している。また、張出部５１１Ｂは、筒状部５１１のその軸方向に沿った中心よりも下方に設けられている。特に本実施形態では、筒状部５１１の軸方向に沿った筒状部５１１の内周面の全体長さをＬとしたとき、張出部５１１Ｂは、筒状部５１１の内周面上端から全体長さＬの２／３以上離れた位置に設けられている。
【００６８】
下側大径部５１１Ｃは、張出部５１１Ｂよりも大径に形成されており、筒状部５１１の軸方向に沿ってほぼ一定の内径を有している。
【００６９】
また、筒状部５１１は、下側大径部５１１Ｃで囲まれた、下方に向けて開口する空間である収容部５１１Ｄを備えている。収容部５１１Ｄは、少なくともショックアブソーブ機能が発揮されていない状態において、すなわち、図４に示す状態において、次述する上動規制部５２２を収容するための空間である。
【００７０】
支持軸５２は、断面円形状の棒状をなす軸本体部５２１と、当該軸本体部５２１の下部に取付けられた上動規制部５２２とを備えている。
【００７１】
軸本体部５２１は、その側面部分に、上端から下端に向けて、大径部５２１Ａ、小径部５２１Ｂ、係止用最小径部５２１Ｃ及び被係止頭部５２１Ｄをこの順序で備えている。
【００７２】
大径部５２１Ａは、前記Ｃリング９が配置される溝状部分を除いた全域が一定の外径を有する円柱状をなしている。大径部５２１Ａは、上端部が前記被取付筒部５５Ｃに挿通される一方、少なくとも下方側の部位が常に筒状部５１１の内周に配置されるように構成されている。大径部５２１Ａのうち筒状部５１１に挿通されている部位、すなわち、一定内径部５１１Ａの内周に沿って配置されている部位によって、第二被支持部５２１Ｅが構成されている。
【００７３】
第二被支持部５２１Ｅは、筒状部５１１（一定内径部５１１Ａ）の内面によって支持される部位である。第二被支持部５２１Ｅは、ショックアブソーブ機能が発揮されていない状態では、大径部５２１Ａのうち一定内径部５１１Ａの上側部位の内周面に沿って配置される部位によって構成される（図４参照）。一方、第二被支持部５２１Ｅは、ショックアブソーブ機能が発揮されている状態では、大径部５２１Ａのうち一定内径部５１１Ａにおける最上部から軸方向ほぼ中央部にかけての部位の内周面に沿って配置される部位によって構成される（図５参照）。すなわち、第二被支持部５２１Ｅは、ショックアブソーブ機能が発揮されているときに、ショックアブソーブ機能が発揮されていないときと比べて、支持軸５２の軸方向に沿ってより長いものとなるように構成されている。
【００７４】
小径部５２１Ｂは、大径部５２１Ａよりも小径とされており、その一部が張出部５１１Ｂの内周面に沿って配置されている。小径部５２１Ｂのうち張出部５１１Ｂの内周面に沿って配置される部位によって、第一被支持部５２１Ｆが構成されている。
【００７５】
ここで、第一被支持部５２１Ｆは、ショックアブソーブ機能が発揮されていない状態では、小径部５２１Ｂの下側部分によって構成される。一方、第一被支持部５２１Ｆは、ショックアブソーブ機能が発揮されている状態では、小径部５２１Ｂの中間部分によって構成される（図５参照）。
【００７６】
また、小径部５２１Ｂのうち張出部５１１Ｂ（第一被支持部５２１Ｆ）及び大径部５２１Ａ（第二被支持部５２１Ｅ）間に位置する部位の外周に、アブソーバスプリング５３が配置されている。本実施形態では、小径部５２１Ｂのうち張出部５１１Ｂ（第一被支持部５２１Ｆ）及び大径部５２１Ａ（第二被支持部５２１Ｅ）間に位置する部位によって、中間部５２１Ｇが構成されている。
【００７７】
係止用最小径部５２１Ｃ及び被係止頭部５２１Ｄは、それぞれ上動規制部５２２を取付けるために設けられた部位である。係止用最小径部５２１Ｃは、被係止頭部５２１Ｄよりも小径であり、後述する爪部５２２Ｃを配置するための溝を形成する部位である。被係止頭部５２１Ｄは、外側に膨出した鍔状をなしており、爪部５２２Ｃが係止される部位である。
【００７８】
上動規制部５２２は、アブソーバスプリング５３で生じた圧縮反発力により、支持軸５２が筒状部５１１の上側開口から抜けてしまうことを防止するための部材である。上動規制部５２２は、有底円筒状をなしており、軸本体部５２１よりも外側に突出した形状をなしている。上動規制部５２２は、支持軸５２の軸方向に沿って張出部５１１Ｂを挟んでアブソーバスプリング５３とは反対側に位置するとともに、ショックアブソーブ機能が発揮されていない状態では、張出部５１１Ｂへと接触し、収容部５１１Ｄへと収容された状態となるように構成されている。
【００７９】
上動規制部５２２は、円板状の底壁部５２２Ａと、当該底壁部５２２Ａの外周部分に立設された円筒状の側壁部５２２Ｂと、当該側壁部５２２Ｂの先端部内周から内側に向けて突出する爪部５２２Ｃとを備えている。
【００８０】
底壁部５２２Ａは、収容部５１１Ｄの下側開口に対応し、当該下部開口とほぼ同一の形状をなす円板状をなしている。また、底壁部５２２Ａの下端面は、収容部５１１Ｄに対し上動規制部５２２が収容されている状態において、筒状部５１１の下端面と面一となるように構成されている。すなわち、収容部５１１Ｄに対し上動規制部５２２が収容されている状態では、上動規制部５２２の下端面と筒状部５１１の下端面とが面一となるように構成されている。尚、本実施形態において、上動規制部５２２（底壁部５２２Ａ）の下端面は、孔のない平坦面とされているが、例えば上動規制部５２２を型成形により形成する場合には、底壁部５２２Ａに対し、型抜き用の孔などが設けられていてもよい。
【００８１】
爪部５２２Ｃは、側壁部５２２Ｂの中心軸を挟む位置に一対設けられている。両爪部５２２Ｃは、内外方向に沿って弾性変形可能とされている。
【００８２】
本実施形態では、アブソーバスプリング５３を圧縮させ、係止用最小径部５２１Ｃ及び被係止頭部５２１Ｄを筒状部５１１の下端から突出させた状態で、被係止頭部５２１Ｄを側壁部５２２Ｂ内へと押し込み、爪部５２２Ｃを係止用最小径部５２１Ｃからなる溝に配置しつつ被係止頭部５２１Ｄへと係止した状態とすることにより、軸本体部５２１に対し上動規制部５２２が取付けられている。すなわち、軸本体部５２１及び上動規制部５２２は、スナップフィット（弾性変形を利用した方法）により取付けられている。
【００８３】
ところで、本実施形態では、上述の通り、アブソーバスプリング５３は、通常状態において、自然長よりも圧縮された状態である。そのため、上動規制部５２２から軸本体部５２１が抜ける方向の力が常に生じることになる。
【００８４】
この点、本実施形態では、上動規制部５２２の側面と下側大径部５１１Ｃとの間の間隔の大きさは、支持軸５２の中心軸と直交する方向に沿った、被係止頭部５２１Ｄに対する爪部５２２Ｃの係止代の長さよりも小さなものとされている。従って、アブソーバスプリング５３で生じる圧縮反発力により、仮に両爪部５２２Ｃ間の距離が開く方向に側壁部５２２Ｂが変形したとしても、このときの変形量は、上動規制部５２２の側面と下側大径部５１１Ｃとの間の間隔の大きさよりも小さなものに制限される。従って、被係止頭部５２１Ｄに対し爪部５２２Ｃが係止された状態をより確実に維持し続けることができ、アブソーバスプリング５３で生じた圧縮反発力により、上動規制部５２２から軸本体部５２１が抜けてしまうことをより確実に防止可能である。
【００８５】
また、上動規制部５２２は、張出部５１１Ｂ側に位置する上面から側面にかけての部位に、面取り形状の面取り部５２２Ｄを有している。本実施形態において、面取り部５２２Ｄは、上から下に向けて徐々に外径が大きくなるテーパ面状をなしている。
【００８６】
さらに、ショックアブソーバ８は、ショックアブソーブ機能が発揮されている状態において、筒状部５１１の下端から支持軸５２（上動規制部５２２など）が突出した状態となるように構成されている（図５等参照）。
【００８７】
以上詳述したように、本実施形態によれば、アブソーバスプリング５３は、第一被支持部５２１Ｆを支持する張出部５１１Ｂと、第二被支持部５２１Ｅとで挟み込まれた状態とされている。従って、結果的に、両被支持部５２１Ｅ，５２１Ｆ間の距離を大きく確保することができ、ひいては大きく離れた状態の両被支持部５２１Ｅ，５２１Ｆを筒状部５１１によって支持することができる。これにより、支持軸５２を安定した状態で、かつ、傾きの少ない状態で支持することができる。その結果、ショックアブソーブ機能をより確実に発揮させることができる。また、栓蓋５５における傾きを効果的に抑制することができ、止水性や外観品質を良好なものとすることができる。
【００８８】
特に本実施形態では、ショックアブソーブ機能が発揮されているときに、筒状部５１１の下端から支持軸５２が下方に突出した状態となる。従って、張出部５１１Ｂひいてはこれに支持される第一被支持部５２１Ｆを筒状部５１１の下端部寄りに設けることができ、筒状部５１１の全体長さＬに対する、両被支持部５２１Ｅ，５２１Ｆ間の距離の割合を著しく大きなものとすることができる。すなわち、両被支持部５２１Ｅ，５２１Ｆはそれぞれ筒状部５１１内に配置され、両被支持部５２１Ｅ，５２１Ｆ間の距離は筒状部５１１の全体長さＬという限られた範囲内でのみ増減可能であるところ、この限られた範囲内で両被支持部５２１Ｅ，５２１Ｆ間の距離を非常に大きく確保することができる。従って、より大きく離れた状態の両被支持部５２１Ｅ，５２１Ｆを筒状部５１１によって支持することができる。これにより、支持軸５２をより安定した状態で、かつ、傾きのより少ない状態で支持することができる。その結果、ショックアブソーブ機能を一層確実に発揮させることができる。また、栓蓋５５における傾きを一段と効果的に抑制することができ、止水性や外観品質をさらに良好なものとすることができる。
【００８９】
また、両被支持部５２１Ｅ，５２１Ｆ間の距離を大きくすることができるため、アブソーバスプリング５３を十分に長いものとすることができ、ひいてはアブソーバスプリング５３において大きな圧縮変形量を確保することができる。従って、ショックアブソーブ機能を一層確実にかつ効果的に発揮させることができ、支持軸５２や上下移動部４３などの各種部材における破損や変形をより確実に防止することができる。
【００９０】
加えて、支持軸５２は、第二被支持部５２１Ｅがアブソーバスプリング５３を介して張出部５１１Ｂで支持された状態となるため、筒状部５１１の下部開口から抜けることがなく、また、張出部５１１Ｂに対し上動規制部５２２が接触することで、筒状部５１１の上部開口から抜けることもない。そのため、筒状部５１１から支持軸５２が脱落してしまうことを確実に防止できる。その結果、取付作業時や清掃時などにおける排水栓装置１の取扱いに係る利便性を高めることができる。また、排水栓装置１の動作安定性を向上させることができる。
【００９１】
さらに、従来では、筒状部から支持軸が抜けないようにすべく、筒状部の上部に内向きの突起部を設ける手法が採用されるが、本実施形態によれば、筒状部５１１をこのような形状とする必要はない点を利用し、筒状部５１１の軸直交断面における筒状部の内面形状が、張出部５１１Ｂよりも上方位置の全域において一定とされる。従って、従来のような前記突起部に対応して支持軸５２を細くするといった必要はなくなり、支持軸５２を全体的に太いものとすることができる。これにより、支持軸５２における強度向上を図ることができる。また、筒状部５１１によって支持軸５２をより安定的に支持することができ、支持軸５２の傾きを一層確実に抑制することができる。
【００９２】
加えて、従来のような突起部を設けた場合、筒状部の太さは、筒状部の厚さ、支持軸の太さ、筒状部（突起部）及び支持軸間の隙間の大きさ、並びに、突起部の内側への突出量に基づくものとなる一方、本実施形態によれば、突起部は不要であるため、筒状部５１１の太さは、筒状部５１１の厚さ、支持軸５２の太さ、並びに、筒状部５１１及び支持軸５２間の隙間の大きさに基づくものとなる。従って、支持軸５２を太くして強度向上を図りつつ、筒状部５１１を比較的細いものとすることができる。これにより、排水の流路における通水面積をより大きく確保して排水能力の向上を図ることができる。また、製造等に係るコスト（例えば材料コスト等）を低減させることができる。
【００９３】
併せて、第二被支持部５２１Ｅは、ショックアブソーブ機能が発揮されているときに、ショックアブアブソーブ機能が発揮されていないときと比べて、支持軸５２の軸方向に沿ってより長いものとなる。すなわち、栓蓋５５に対し下方に向けた力が加わって支持軸５２が下動する際には、支持軸５２のより広範囲が筒状部５１１でガイドされた状態となる。これにより、支持軸５２をその軸方向に沿ってよりスムーズに移動させることができ、ひいてはアブソーバスプリング５３をよりスムーズに圧縮変形させることができる。その結果、ショックアブソーブ機能を一層効果的に発揮させることができる。
【００９４】
さらに、上動規制部５２２におけるその上面からその側面にかけての部位は、面取り部５２２Ｄとされている。従って、取付作業時や清掃時などの取扱い時に、アブソーバスプリング５３で生じた圧縮反発力により、上動規制部５２２と筒状部５１１の下端部との間で指などが挟まれてしまうことをより確実に防止できる。これにより、取扱い時の利便性や安全性をより高めることができる。
【００９５】
加えて、ショックアブソーブ機能が発揮されていない状態では、収容部５１１Ｄに対し上動規制部５２２が収容される。そのため、排水栓装置１の美観をより良好なものとすることができる。また、上動規制部５２２に対するごみや毛髪等の異物の付着を抑制することができ、衛生性や清掃性を高めることができる。
【００９６】
さらに、収容部５１１Ｄに対し上動規制部５２２が収容されている状態において、上動規制部５２２の下端面と筒状部５１１の下端面とが面一となるため、排水栓装置１の美観を一層良好なものとすることができる。また、清掃時には、上動規制部５２２の下端面と筒状部５１１の下端面とを一度に拭いたり、擦ったりすることが可能となるため、清掃性をより高めることができる。
【００９７】
尚、上記実施形態の記載内容に限定されず、例えば次のように実施してもよい。勿論、以下において例示しない他の応用例、変更例も当然可能である。
【００９８】
（ａ）上記実施形態では、ショックアブソーブ機能が発揮されているときに、筒状部５１１の下端から支持軸５２が下方に突出した状態となるように構成されているが、ショックアブソーブ機能が発揮されているときであっても（つまり、常に）、支持軸５２が筒状部５１１の下端から下方に突出しないように構成してもよい。尚、この場合、上動規制部５２２は、常に収容部５１１Ｄに配置された状態となる。
【００９９】
また、支持軸５２が常に筒状部５１１の下端から下方に突出した状態となるように構成してもよい。
【０１００】
（ｂ）上記実施形態において、栓蓋側駆動部４は、回動部４１の一端面から突出する円柱状の上下移動部４３を有する構成とされているが、栓蓋側駆動部の構成は、これに限定されるものではない。従って、栓蓋側駆動部を、回動部の外周から突出して、排水管３内に配置される棒状の上下移動部を有する構成とし、回動部の回動に伴い上下移動部が上下動することで、栓蓋５５を上下動させるものであってもよい。
【０１０１】
また、栓蓋側駆動部を、排水口部材２や排水管３内に配置された、上下動可能な棒状の上下移動部を有してなる機構により構成してもよい。この場合、前記上下移動部は、自身の上動に伴い支持部材５１（例えば、筒状部５１１）を下から押し上げることで、栓蓋５５を上動させる。尚、ショックアブソーブ機能が発揮されて支持軸５２が下動した際に、支持軸５２の下部と接触して押圧されないように上下移動部を構成することが好ましい。この構成は、例えば、上下移動部の上部に、ショックアブソーブ機能が発揮されて支持軸５２が下動したときに、当該支持軸５２の下部が配置される凹部を設けることで実現可能である。
【０１０２】
（ｃ）上記実施形態において、支持軸５２は、軸本体部５２１の下部に対し上動規制部５２２が取付けられた構成とされているが、例えば、支持軸を、大径部５２１Ａを構成する部材と、例えばねじ止めなどにより前記部材に対し直列的に連結される、小径部５２１Ｂ及び上動規制部５２２を構成する部材とによって構成してもよい。
【０１０３】
（ｄ）上記実施形態では、栓蓋５５（パッキン部５５Ｂ）が底面部１０１に接触することで、排水口１０４が閉鎖されるように構成されているが、栓蓋５５（パッキン部５５Ｂ）が排水口部材２に接触することで、排水口１０４が閉鎖されるように構成してもよい。勿論、構成の変更に応じて、ヘアキャッチャー５４の構成などを適宜変更してもよい。
【０１０４】
（ｅ）上記実施形態では、槽体として洗面ボール１００を例示しているが、本発明の技術思想を適用可能な槽体は洗面ボールに限定されるものではない。従って、例えば、浴槽やキッチンの流し台などに対し本発明の技術思想を適用することとしてもよい。
【符号の説明】
【０１０５】
１…排水栓装置、４３…上下移動部、５１…支持部材、５２…支持軸、５３…アブソーバスプリング、５５…栓蓋、１００…洗面ボール（槽体）、１０４…排水口、５１１…筒状部、５１１Ｂ…張出部、５１１Ｄ…収容部、５２１Ｅ…第二被支持部、５２１Ｆ…第一被支持部、５２１Ｇ…中間部、５２２…上動規制部、５２２Ｄ…面取り部。
【図１】
2018199954.tif 000003
【図２】
2018199954.tif 000004
【図３】
2018199954.tif 000005
【図４】
2018199954.tif 000006
【図５】
2018199954.tif 000007